(57)【要約】【課題】飛行中の航空機の内部客室内の乗客間など、航行中のビークルの乗客間の病原体の拡散を、乗客に害を与える恐れなく差し止めるためのシステムおよび方法を提供する。【解決手段】消毒システムが、ビークルの内部客室内のさまざまな箇所に取り付けられた複数の紫外線（ＵＶ）ランプを含む。ＵＶランプは、ビークルに搭載された電源から電力を受け取り、ビークルの航行中に継続的なやり方で内部客室へとＵＶ光を放射するように構成される。ＵＶランプは、放射されたＵＶ光で内部客室内の空気を殺菌するように配置される。【選択図】図３
2022002700.tif 000002
【特許請求の範囲】
【請求項１】
ビークルの内部客室（１２２）内のさまざまな箇所に取り付けられた複数の紫外線（ＵＶ）ランプ（１２０）を備えており、
前記ＵＶランプ（１２０）は、前記ビークルに搭載された電源（１７２）から電力を受け取り、前記ビークルの航行中に継続的なやり方で前記内部客室（１２２）へとＵＶ光を放射するように構成され、前記ＵＶランプ（１２０）は、放射された前記ＵＶ光が前記内部客室（１２２）内の空気を殺菌するように配置されている、消毒システム（１００）。
【請求項２】
前記ＵＶランプ（１２０）のさまざまな前記箇所は、前記航行中に乗客および乗務員によって占有される箇所である、請求項１に記載の消毒システム（１００）。
【請求項３】
前記ＵＶランプ（１２０）のサブセット（１２６）が、前記内部客室（１２２）の天井（１０４）に取り付けられ、前記内部客室（１２２）の長さに沿って間隔を空けて位置し、前記サブセット（１２６）は、前記天井（１０４）から通路（１１３）の床（１０８）に行き着くまでＵＶ光を放射する、請求項１または２に記載の消毒システム（１００）。
【請求項４】
前記ＵＶランプ（１２０）のサブセット（１２６）が、座席（１１０）の複数の列（１１２）の各列（１１２）の上方に配置された乗客サービスユニット（ＰＳＵ）（１１４）に統合されており、前記ＰＳＵ（１１４）は、個人用送風機（１１５）をさらに含んでいる、請求項１から３のいずれか一項に記載の消毒システム（１００）。
【請求項５】
前記ＵＶランプ（１２０）は、人間の組織にとって安全な指定波長または狭い波長範囲の前記ＵＶ光を放射するように構成されている、請求項１から４のいずれか一項に記載の消毒システム（１００）。
【請求項６】
前記指定波長は、２２２ｎｍである、請求項５に記載の消毒システム（１００）。
【請求項７】
前記ＵＶランプ（１２０）は、前記航行の期間の全体にわたって前記ＵＶ光を持続的に放射するように制御される、請求項１から６のいずれか一項に記載の消毒システム（１００）。
【請求項８】
１以上のプロセッサを含んでおり、前記ＵＶランプ（１２０）に動作可能に接続された制御ユニット（１７０）をさらに備え、
前記制御ユニット（１７０）は、乗客の活動に基づいて前記航行中に前記ＵＶランプ（１２０）のうちの１以上に供給される電力を、乗客がより活動的であるときに１以上の前記ＵＶランプ（１２０）が乗客があまり活動的でないときよりも多くの電力を受け取るように、変更する、請求項１から７のいずれか一項に記載の消毒システム（１００）。
【請求項９】
制御ユニット（１７０）および入力装置（１７４）をさらに備え、
前記制御ユニット（１７０）は、１以上のプロセッサを含んでおり、前記ＵＶランプ（１２０）および前記入力装置（１７４）に動作可能に接続され、前記制御ユニット（１７０）は、オペレータの手動選択を表す前記入力装置（１７４）から受信される制御信号に基づいて前記ＵＶランプ（１２０）のうちの１以上に供給される電力を変更するように構成されている、請求項１から８のいずれか一項に記載の消毒システム（１００）。
【請求項１０】
１以上のプロセッサを含んでおり、前記ＵＶランプ（１２０）に動作可能に接続された制御ユニット（１７０）をさらに備え、
前記制御ユニット（１７０）は、乗客が前記内部客室（１２２）に搭乗中または前記内部客室（１２２）から降機中であるとの判定に応答して、前記ＵＶランプ（１２０）のうちの１以上を第１の電力レベルで動作させる、請求項１から９のいずれか一項に記載の消毒システム（１００）。
【発明の詳細な説明】
【技術分野】
【０００１】
本開示の実施形態は、広くには、ビークルの客室などの取り囲まれた領域内の構造および空気を消毒するために使用することができるシステムおよび方法に関する。
【背景技術】
【０００２】
民間の航空機などのビークルは、さまざまな箇所の間で乗客を輸送するために使用される。さまざまな有害微生物または他の病原体を死滅させ、あるいは中和するために、表面を殺菌または他の方法で消毒するためのシステムが、現時点において開発中である。航空機内の表面を消毒する典型的な方法は、１名以上の乗務員による多大な手作業を伴う。例えば、数名の乗務員が、航空機の内部客室内の表面に洗浄用の化学物質を噴霧して拭き取ることができる。他の乗務員が、内部客室の近くの表面へと紫外線（ＵＶ）放射を放つ棒をゆっくりと振り動かすことができる。ＵＶ放射は、対象の表面に対して少なくとも指定量の時間にわたって特定の近さに保持された場合に、一部の微生物または他の病原体を死滅させ、あるいは中和することができる。
【０００３】
さらに、航空機などの多くの民間のビークルは、空調システムに微生物および病原体を捕捉することができるＨＥＰＡフィルタを有する。ＨＥＰＡフィルタは、客室を出る空気、または客室に入ろうとする空気を受け取り、浄化する。ＨＥＰＡフィルタおよびフライト間の客室の頻繁な清掃が、航空機の乗客および乗務員の健康を保証するためのいくつかの方法である。ＨＥＰＡフィルタおよび化学的洗浄を補うために、追加の消毒方法を使用することができる。
【発明の概要】
【発明が解決しようとする課題】
【０００４】
飛行中の航空機の内部客室内の乗客間など、航行中のビークルの乗客間の病原体の拡散を、乗客に害を与える恐れなく差し止めるためのシステムおよび方法について、ニーズが存在する。
【課題を解決するための手段】
【０００５】
これらのニーズを念頭に、本開示の特定の実施形態は、ビークルの内部客室内のさまざまな箇所に取り付けられた複数の紫外線（ＵＶ）ランプを含む消毒システムを提供する。内部客室は、座席を含む。ＵＶランプは、ビークルに搭載された電源から電力を受け取り、ビークルの航行中に継続的なやり方で内部客室へとＵＶ光を放射するように構成される。ＵＶランプは、放射されたＵＶ光で内部客室内の空気を殺菌するように配置される。
【０００６】
１以上の実施形態において、ビークルを消毒するための方法が提供される。本方法は、ビークルに搭載された電源からビークルの内部客室内のさまざまな箇所に取り付けられた複数の紫外線（ＵＶ）ランプに電力を供給するステップを含む。さらに、本方法は、ビークルの航行中に継続的なやり方で内部客室へとＵＶ光を放射するようにＵＶランプを制御するステップを含む。ＵＶランプは、放射されたＵＶ光で内部客室内の空気を、内部客室内の乗客が空気を呼吸する前に殺菌するように配置される。
【０００７】
１以上の実施形態において、ビークルの内部客室内のさまざまな箇所に取り付けられた複数の紫外線（ＵＶ）ランプを含む消毒システムが提供される。ＵＶランプは、ビークルに搭載された電源源から電力を受け取るように構成される。消毒システムは、ＵＶランプに動作可能に接続された制御ユニットをさらに含む。制御ユニットは、ビークルの航行中に継続的なやり方で内部客室へとＵＶ光を放射するようにＵＶランプを制御するように構成される。制御ユニットは、乗客の活動に基づいて、航行中にＵＶランプのうちの１以上に供給される電力を、乗客がより活動的であるときに１以上のＵＶランプが乗客があまり活動的でないときよりも多くの電力を受け取るように、変更するように構成される。
【図面の簡単な説明】
【０００８】
【図１】本開示の一実施形態による航空機の斜視正面図を示している。
【図２】本開示の一実施形態による航空機の内部客室の一部分における消毒システムの斜視図を示している。
【図３】一実施形態による消毒システムの１つのＵＶランプを示している。
【図４】一実施形態による消毒システムの１つのＵＶランプの側面図を示している。
【図５】別の実施形態による消毒システムのＵＶランプの側面図を示している。
【図６】一実施形態による消毒システムの概略図である。
【発明を実施するための形態】
【０００９】
以上の概要および特定の実施形態についての以下の詳細な説明は、添付の図面と併せて検討することで、よりよく理解されるであろう。本明細書において使用されるとき、単数形で記載され、「ａ」または「ａｎ」という語が先行する要素またはステップは、必ずしもそのような要素またはステップが複数であることを除外しないと理解されるべきである。さらに、「一実施形態」への言及は、そこで述べられる特徴をやはり備えるさらなる実施形態の存在を排除するものとして解釈されることを、意図していない。さらに、とくに明示的に述べられない限り、特定の状態を有する１以上の要素を「備える」実施形態または「有する」実施形態は、その状態を有さない追加の要素を含むことができる。
【００１０】
本開示の特定の実施形態は、民間航空機などのビークルの内部客室を殺菌するための消毒システムおよび方法を提供する。消毒システムは、内部客室内に配置された一群の紫外線（ＵＶ）ランプを含む。ＵＶランプは、ＵＶ光によって内部客室内の空気および表面を消毒するように、ビークルの航行中に内部客室へとＵＶ光を放射するように配置および制御される。ＵＶランプを、人間の組織にとって安全な指定された波長または狭い波長範囲のフィルタ処理されたＵＶ光を放射するように制御することができる。例えば、指定の波長は２２２ｎｍであってよい。ＵＶランプは、２名の乗客の間または乗客と乗務員との間など、占有者間で直接拡散する可能性がある病原体を死滅させ、あるいは中和するために、乗客の頭部またはその周囲の呼吸領域内の空気を消毒するように配置される。この目的のために、ＵＶランプのうちの少なくともいくつかを、個人用の可視波長の照明および列内の１名以上の乗客に向けて空調された空気を放出する個人用送風ベント（または、パファー）に隣接するなど、乗客の座席の上方に配置することができる。追加のＵＶランプを、通路の上方の天井に沿って配置し、調理室内に配置し、さらには洗面所内に配置するなどして、機上の占有者（例えば、乗客および乗務員）が往来する領域にＵＶ光を放射することができる。
【００１１】
少なくとも１つの実施形態において、ＵＶランプは、長期間にわたってＵＶ光を持続的に放射するように動作する。例えば、ＵＶランプは、乗客のビークルへの搭乗の時点から乗客の降機の時点までの航行時間の全体にわたってＵＶ光を放射するようにオンであってよい。持続的なＵＶ放射は、客室の洗浄の間のビークルの航行中に、空気中または表面における病原体の拡散を妨げるために、病原体を死滅させ、あるいは中和する役に立つ。例えば、ＵＶ光は、客室内の２名の会話中の占有者の間の空気中の病原体を死滅させることができる。環境制御システム（例えば、空調システム）内のＨＥＰＡフィルタは、客室から引き出された後の空気を処理するにすぎないため、２名の会話中の占有者の間の病原体の直接的な拡散を防止することができないと考えられる。
【００１２】
少なくとも一実施形態においては、たとえ持続的に動作しても、消毒システムは、乗客の活動および／または占有に基づいてＵＶランプの出力を調整または変更することができる。活動とは、乗客の物理的な動きおよび相互作用を指す。占有は、客室内の乗客の数および乗客の箇所を指す。例えば、消毒システムは、測定または予想される乗客の活動に基づいて、異なるモードまたは設定に設定可能であってよい。活動は、乗客が搭乗中であるか、あるいは座席ベルトを着用して定位置に座っているか、などの航行状況に基づくことができる。さらに、活動は、大部分の人々が読書し、ビデオを視聴し、さらには睡眠中である夜間よりも日中において活動がより大きいと予想されるため、時刻に基づくことができる。異なる設定は、ＵＶランプによる異なる電力レベルでのＵＶ光の放射を生じさせることができる。より高い電力レベルは、より低い電力レベルと比較して、放射されるＵＶ光の強度および／または範囲を増加させる。より大きな強度および／または範囲は、単位時間当たりに照射野において病原体をより大量に、またはより高い割合で死滅させ、あるいは中和することができるが、より高い電力レベルは、より低い電力レベルと比べて、より多くの電力も使用する（したがって、効率が低い）。一実施形態において、消毒システムは、エネルギを節約しながら客室を消毒するために、異なる設定でＵＶランプを制御することができる。これに限られるわけではないが、占有に関連する一例においては、消毒システムを、乗客に近接して位置するＵＶランプと比べ、乗客の存在しない領域に位置するＵＶランプに供給される電力をオフにし、あるいは少なくとも減らすように構成することができ、これにより、エネルギを節約し、エネルギ効率を高めることができる。
【００１３】
消毒システムの１以上の技術的効果は、ビークルの航行中のビークルの占有者（例えば、乗客および乗務員）間の病原体の拡散の低減を含む。例えば、消毒システムは、特には、空気を機上の環境制御システムによってフィルタ処理できるよりも前に、空気を介した病原体の直接的な拡散を妨げる。また、消毒システムは、航行の合間に客室を清掃することができるよりも前に、表面を消毒して接触による病原体の拡散を防ぐことができる。別の技術的効果は、消毒システムによって放射される持続的なフィルタ処理されたＵＶ光が乗客の気を散らすことがなく、乗客に害を及ぼすことがないため、消毒システムの存在および動作が乗客または航行の楽しみに悪影響を及ぼさないことである。さらに、ＵＶランプの動作にエネルギおよび電源が必要であるが、消毒システムは、活動および占有に基づいてＵＶランプの設定を調整して、消費されるエネルギを（常に中程度または高い電力設定で動作させる場合と比較して）削減することができ、これにより、乗客の健康および安全性を犠牲にすることなく電力消費を望ましく押さえることができる。消毒システムは、飛行中の航空機の客室内の安全な環境を要求する規制の順守を保証することができる。
【００１４】
図１が、本開示の一実施形態による航空機１０の斜視正面図を示している。航空機１０は、例えば、エンジン１４を含む推進システム１２を含む。随意により、推進システム１２は、図示されているよりも多くのエンジン１４を含むことができる。エンジン１４は、航空機１０の翼１６によって支持される。他の実施形態において、エンジン１４は、胴体１８および／または尾部２０によって支持されてもよい。尾部２０は、水平安定板２２および垂直安定板２４も支持することができる。
【００１５】
航空機１０の胴体１８は、フライトデッキまたはコックピット、１以上の作業区画（例えば、調理室、人員の機内持ち込み手荷物領域、など）、１以上の乗客区画（例えば、ファーストクラス、ビジネスクラス、およびエコノミークラスの各区画）、１以上の洗面所、などを含む内部客室を定める。
【００１６】
あるいは、航空機の代わりに、本開示の実施形態は、自動車、バス、鉄道車両、船舶、などのさまざまな他のビークルにおいて使用されてもよい。例えば、本明細書に開示される消毒システムを、旅客列車、バス、客船、などの内部客室に実装することができる。本開示の実施形態は、商業用および居住用建物などの固定構造内の取り囲まれた領域に関して使用することができる。例えば、本明細書に開示される消毒システムおよび方法を、劇場、コンサート会場、礼拝所、オフィスビル、店舗、などの中に設置して稼働させることができ、有害でない波長の持続的なＵＶ光によって、空気および表面の継続的な殺菌を提供することができる。
【００１７】
図２が、本開示の一実施形態による航空機１０の内部客室１２２の一部分における消毒システム１００の斜視図を示している。内部客室１２２は、天井１０４に接続された外側壁１０２を含む。窓１０６が、外側壁１０２に形成されてよい。床１０８が、座席１１０の列を支持する。列１１２は、通路１１３の両側に３つの座席１１０を含むことができる。しかしながら、列１１２は、図示されているよりも多数または少数の座席１１０を含んでもよい。さらに、内部客室１２２は、図２に示されている単一の通路１１３よりも多くの通路を含むことができる。
【００１８】
乗客サービスユニット（ＰＳＵ）１１４が、通路１１３の両側の外側壁１０２と天井１０４との間に固定される。ＰＳＵ１１４は、内部客室１２２の前端と後端との間を延伸する縦列にて配置されている。例えば、少なくとも１つのＰＳＵ１１４は、通路１１３の両側の列１１２内の座席１１０の上方に配置されてよい。ＰＳＵ１１４は、個人用送風機１１５（例えば、ベント、パファー、など）、読書灯、酸素バッグ落下パネル、乗務員呼び出しボタン、ならびに他のそのような制御部および構成要素を含むことができる。ＰＳＵ１１４の制御部および構成要素の少なくともいくつかは、読書灯など、列１１２内の２つまたは３つの座席１１０のグループ間で共有されてもよい。個人用送風機１１５などの他の構成要素は、個々の座席１１０に固有であってよい。
【００１９】
頭上収納棚アセンブリ１１８が、通路１１３の両側でＰＳＵ１１４の上方の天井１０４および／または外側壁１０２に固定される。頭上収納棚アセンブリ１１８は、座席１１０の上方に固定される。頭上収納棚アセンブリ１１８は、例えば乗客の機内持ち込み手荷物および身の回り品を受け入れるために、枢動式にて開くように構成される。本明細書において使用されるとき、「外側」という用語は、別の構成要素と比較して内部客室１２２の中央の長手方向の平面からより遠い位置を意味し、「内側」という用語は、別の構成要素と比較して内部客室１２２の中央の長手方向の平面により近い位置を意味する。
【００２０】
消毒システム１００は、内部客室１２２内に取り付けられた複数の紫外線（ＵＶ）ランプ１２０を含む。ＵＶランプ１２０は、内部客室１２２内の空気および表面を消毒および殺菌するために、内部客室１２２内にＵＶ光を生成および放射するように制御される。ＵＶランプ１２０を、内部客室１２２全体のさまざまな領域に配置することができる。図示の実施形態においては、ＵＶランプ１２０の第１のサブセット１２４が、乗客の座席１１０の上方のＰＳＵ１１４に取り付けられている。例えば、ＰＳＵ１１４内のＵＶランプ１２０を、送風機１１５および読書灯などのＰＳＵ１１４の他の構成要素に近接させて配置することができる。一実施形態において、第１のサブセット１２４のＵＶランプ１２０は、各々のＵＶランプ１２０が通路１１３の片側の座席１１０の該当の列１１２へとＵＶ光を放射するようにＰＳＵ１１４に統合される。各々のＵＶランプ１２０からのＵＶ光が放射される照射野または拡散場に応じて、各々のＰＳＵ１１４は、唯一のＵＶランプまたは複数のＵＶランプ１２０を含むことができる。照射野とは、ＵＶランプ１２０によって放射されるＵＶ光波（例えば、光線）の伝播によって画定される空間内の三次元体積を指す。照射野の幅は、反射器、コリメータ、レンズ、などのＵＶランプ１２０の機械的特徴に依存する可能性があり、随意により、所定の幅をもたらすように設定されてよい。これに限られるわけではないが、一実施形態において、ＰＳＵ１１４内のＵＶランプ１２０の照射野は、各々のＵＶランプ１２０が２つの乗客の座席１１０の周囲の空気および表面を消毒するために充分であってよい。したがって、通路１１３の一方側の列１１２内の３つ以上の座席１１０のグループについて、ＰＳＵ１１４は、少なくとも２つのＵＶランプ１２０を含むことができ、組み合わせのＵＶ光によって座席１１０のグループの全体およびこれらの座席に座った乗客をカバーできるように、一のＵＶランプ１２０が別のＵＶランプ１２０の外側に配置される。これに限られるわけではないが、別の実施形態においては、第１のサブセット１２４内のＵＶランプ１２０の数が、各々のＵＶランプ１２０が内部客室１２２内の異なる座席１１０に特定的に向けられ、この座席に関連付けられるように、座席１１０の総数に一致してもよい。
【００２１】
消毒システム１００のＵＶランプ１２０の第２のサブセット１２６は、頭上収納棚アセンブリ１１８の間の天井１０４に取り付けられる。第２のサブセット１２６のＵＶランプ１２０は、内部客室１２２の長さにおいて前端と後端との間を延伸する直線状の列に整列している。第２のサブセット１２６内のＵＶランプ１２０は、長さに沿って間隔を空けて位置している。ＵＶランプ１２０間の間隔は、病原体が存在できる死角が生じることがないように、床１０８の上方の指定された高さにおいて２つの隣接するＵＶランプ１２０のカバー領域に少なくともいくらかの重なり合いが存在することを保証するために、ＵＶランプ１２０から放射されるＵＶ光の照射野または拡散場に基づくことができる。サブセット１２６は、通路１１３内を床１０８に行き着くところまで照らすＵＶ光を放射することができる。サブセット１２６からのＵＶ光は、本質的に、内部客室１２２を仕切る消毒壁を形成することができる。
【００２２】
図２には、ＵＶランプ１２０の２つのサブセット１２４、１２６またはグループが示されているが、ＵＶランプ１２０を、調理室、洗面所、区画間の仕切りなど、客室１２２の他の領域にも配置することができる。一般に、消毒システム１００のＵＶランプ１２０は、ＵＶ光のカバー領域を最大化するように客室１２２の全体にわたって配置される。カバー領域の最大化とは、特には乗客および乗務員が占有および往来する領域において、８０％超、９０％超、９５％超など、客室１２２内の領域または体積の相当な量または割合をカバーするようにＵＶ光を放射することを指す。ＵＶ光は、空気および周囲の表面を消毒および殺菌する。ＵＶ光によって殺菌することができる周囲の表面として、座席１１０（アームレストおよびヘッドレストを含む）、トレイテーブル、乗客が使用するパーソナルコンピュータ、乗客および乗務員の皮膚および衣服、客室１２２の壁、ドア、などを挙げることができる。消毒システム１００は、搭乗中、地上走行中、飛行中、および降機中など、乗客が存在する場合でもＵＶランプ１２０をオンの放射状態で持続的に動作させるように構成される。飛行の合間における客室１２２の化学的洗浄などの間欠的な消毒、および環境制御システムの帰還レジスタを通って導かれる所与の量の空気のフィルタ処理だけを提供するにすぎない現状の実務とは異なり、消毒システム１００は、表面上および空気中の病原体を継続的に殺菌する。
【００２３】
図３が、一実施形態による消毒システム１００のＵＶランプ１２０のうちの１つを示している。図示のＵＶランプ１２０は、乗客１３０によって占有された座席１１０の上方のＰＳＵ１１４内にある。１以上の実施形態において、ＵＶランプ１２０は、汚れた空気を乗客１３０との接触および／または乗客１３０による吸入の前に消毒するような配置および配向とされる。例えば、ＵＶランプ１２０は、乗客１３０が前方を向いて座席１１０に座っているときに、乗客の頭部１３３、または少なくとも顔１３４を包含する照射野１３２を有する。したがって、乗客１３０が呼吸する空気は、ＵＶ光を通って移動し、消毒される。換言すると、ＵＶランプ１２０は、乗客の顔１３４の前方の呼吸領域１３６へとＵＶ光を放射するように配置され、他の乗客および乗務員との会話時などに、空気中の病原体から乗客１３０を保護する。
【００２４】
図示の実施形態は、客室１２２を通る空気の流路へとＵＶ光が放射されることを示している。例えば、環境制御システムまたは空調システムからの空気は、供給ベント１４０および個人用送風機（または、ベント）１１５を介して客室１２２へと供給される。供給ベント１４０は、図２に示した収納棚アセンブリ１１８の上方など、客室１２２の壁または天井に沿って配置されてよい。個人用送風機１１５は、ＰＳＵ１１４の構成要素であり、空気の方向および／または流量を選択的に調整するために手動で調整可能なダンパを有することができる。帰還レジスタ１４２またはベントは、客室１２２から空気を集め、環境制御システムを通って空気を循環させるように構成される。帰還空気を、少なくとも１つのＨＥＰＡフィルタによってフィルタ処理することができる。図３に示されるように、供給ベント１４０および送風機１１５は、座席１１０の上方に配置され、帰還レジスタ１４２は、床または床の付近など、座席１１０の下方に配置される。客室１２２を通る空気は、一般に、供給ベント１４０および送風機１１５から帰還レジスタ１４２へと下方に流れる。ＵＶランプ１２０は、空気の流路へと、乗客１３０と供給ベント１４０および／または送風機１１５との間の箇所にＵＶ光を向ける。
【００２５】
一実施形態においては、乗客１３０に害を与えることなく長時間にわたって乗客１３０をＵＶ光に曝露させることができるように、ＵＶランプが制御され、さらには／あるいはＵＶ光がフィルタ処理される。例えば、放射されるＵＶ光は、長時間の曝露においても人間の組織にとって無害であると実験的に決定された指定の波長または狭帯域の波長を有することができる。したがって、たとえＵＶランプ１２０が飛行時間を通してＵＶ光を持続的に放射したとしても、乗客１３０が害を被ることがない。ＵＶランプ１２０を、指定の波長または狭帯域のみを生成するように構成または構築することができる。あるいは、図３に示される照射野１３２内の放射されたＵＶ光が、指定の波長または狭帯域のみからなるように、指定の波長または狭帯域の外側の波長を吸収し、あるいは消散させるフィルタを利用することができる。
【００２６】
これに限られるわけではないが、一例において、指定の波長は２２２ｎｍである。２２２ｎｍの波長を有する消毒用のＵＶ光は、病原体を不活性化する代わりに、病原体（ウイルスおよび細菌など）を死滅させることが明らかになっている。対照的に、２５４ｎｍの波長のＵＶＣ光は、病原体をそれらのＤＮＡに干渉することによって不活性化して、一時的な不活性化をもたらすが、病原体を死滅させることはできない。代わりに、病原体は、通常の白色光への曝露によって、１時間当たり約１０％の再活性化率で再び活性化する可能性がある。したがって、２５４ｎｍの波長のＵＶＣ光は、ビークルの内部客室内などの照明される領域においては効果がない場合がある。さらに、２５４ｎｍのＵＶＣ光は、人間の細胞を透過できる可能性があるため、人間の曝露に関して推奨されない。対照的に、２２２  ｎｍの波長を有する消毒用ＵＶ光は、人間の曝露に関して安全であり、病原体を死滅させる。さらに、２２２ｎｍの波長を有する消毒用ＵＶ光は、ＵＶランプ１２０の作動から１ミリ秒以内で最大出力での放射が可能である（対照的に、２５４ｎｍの波長を有するＵＶＣ光は、最大出力に達するまでに数秒または数分を要する可能性がある）。
【００２７】
図４が、一実施形態による消毒システム１００のＵＶランプ１２０のうちの１つの側面図を示している。ＵＶランプ１２０は、ハウジング１５０と、バルブ１５２と、カバーシート１５４またはレンズと、反射器１５６とを含む。バルブ１５２および反射器１５６は、ハウジング１５０およびカバーシート１５４によって定められた空隙部１５８内に保持される。バルブ１５２は、透明または少なくとも半透明であるカバーシート１５４を照射野１３２へと通過するＵＶ光を放射する。反射器１５６は、反射性であり、バルブ１５２が反射器１５６とカバーシート１５４との間に位置するように配置される。反射器１５６は、反射器１５６の表面に衝突する光をカバーシート１５４に向かって反射させるような形状および配置を有する。反射器１５６は、バルブ１５２の周囲で少なくとも部分的に湾曲していてよい。ハウジング１５０の壁は、光が壁を透過することがなく、照射野１３２がカバーシート１５４を透過した光によって定められることが保証されるように、不透明であってよく、随意により反射性であってよい。ＵＶランプ１２０は、凸レンズまたは凹レンズ、バルブ１５２をハウジング１５０に取り付けるためのハードウェア、およびバルブ１５２に電力を供給するための回路など、さらなる構成要素を含むことができる。
【００２８】
一実施形態では、照射野１３２は静的であり、ＵＶランプ１２０の動作中に不変である。例えば、反射器１５６を、ハウジング１５０内の不動の位置に取り付けることができる。別の実施形態においては、反射器１５６を回転または旋回させて、照射野１３２の寸法を変更することが可能であってよい。
【００２９】
図５が、別の実施形態による消毒システム１００のＵＶランプ１２０のうちの１つの側面図を示している。反射器１５６は、反射器１５６を旋回および／または平行移動させて、バルブ１５２およびカバーシート１５４に対する反射器１５６の角度を変更するように制御されるアクチュエータに接続される。図示の位置において、反射器１５６は右方に偏心しており、照射野１３２（実線で示されている）は左方に傾いている。反射器１５６が左方に偏心した位置へと徐々に移動すると、照射野１３２（図示せず）は右方にシフトする。結果として、複数のサイクルにわたって、ＵＶ光を、図４に示した静的なランプ１２０よりも広い照射領域１６０へと送ることができる。照射領域１６０は、破線が反射器１５６が左方に偏心したときの縁部を表すように、移動する反射器１５６の全周期を通じての照射野１３２の最外縁部を表す。別の実施形態においては、反射器１５６を移動させる代わりに、ハウジング１５０全体またはハウジング内のレンズを旋回または回転させることによって、より広い照射領域１６０をもたらすことができる。
【００３０】
図６が、一実施形態による消毒システム１００の概略図である。消毒システム１００は、ＵＶランプ１２０と、制御ユニット１７０と、電源１７２と、入力装置１７４と、出力装置１７６と、センサ１７８とを含む。センサ１７８は随意であり、したがって、１以上の実施形態はセンサを有さなくてもよい。消毒システム１００は、航空機に搭載される。ＵＶランプ１２０は、ＰＳＵ１１４内のＵＶランプ１２０および天井１０４に沿ったＵＶランプ１２０など、図２に示されるとおりの内部客室１２２の全体にわたる複数のＵＶランプ１２０を表す。電源１７２は、電力によってＵＶ光を発生させるために、ＵＶランプ１２０に電力を供給する。電源１７２は、機械的エネルギを電気的エネルギに変換する発電機であってよい。さまざまな導電配線およびケーブルが、電源１７２からＵＶランプ１２０へと電力を導くことができる。例えば、ＵＶランプ１２０は、ＰＳＵ１１４内のライトおよび送風機１１５などの客室１２２内の他の構成要素に電力を供給する同じ電源１７２および導電経路を利用することができる。例えば、ＵＶランプ１２０を、客室照明を制御する同じ電子機器パッケージに接続することができる。
【００３１】
制御ユニット１７０は、有線および／または無線通信経路を介してＵＶランプ１２０、入力装置１７４、出力装置１７６、およびセンサ１７８に動作可能に接続される。制御ユニット１７０は、ＵＶランプ１２０の動作を制御する制御信号を生成する。制御ユニット１７０は、１以上のプロセッサ１８２（例えば、１以上のマイクロプロセッサ、集積回路、マイクロコントローラ、フィールドプログラマブルゲートアレイ、など）を含み、さらには／あるいは１以上のプロセッサ１８２に接続されたハードウェア回路を表す。制御ユニットは、有形の非一時的なコンピュータ可読記憶媒体（例えば、メモリ）１８４を含み、さらには／あるいはそのようなコンピュータ可読記憶媒体に接続される。例えば、メモリ１８４は、本明細書に記載の制御ユニット１７０の動作を実行するために１以上のプロセッサ１８２によって実行されるプログラム命令（例えば、ソフトウェア）を格納することができる。
【００３２】
制御ユニット１７０は、各々のＵＶランプ１２０に供給される電力（例えば、電圧および電流）の存在および量を制御することによって、ＵＶランプ１２０を制御することができる。随意により、制御ユニット１７０は、電源１７２とＵＶランプ１２０との間の回路またはバスに沿った少なくとも１つのスイッチング装置１８０に動作可能に接続される。スイッチング装置１８０は、ＵＶランプ１２０のうちの１以上への電力の伝導を阻止するために回路を選択的に開き（あるいは、遮断し）、１以上のＵＶランプ１２０への電力の伝導を可能にするために回路を閉じる（または、確立させる）ように構成される。スイッチング装置１８０は、ソリッドステートリレー、電気機械式リレー、光スイッチ、ＤＣ−ＤＣコンバータ、などを表し、あるいは含むことができる。一のスイッチング装置１８０が図示されているが、消毒システム１００は、制御ユニット１７０によって独立して制御される複数のスイッチング装置１８０を含むことができる。例えば、各々のＵＶランプ１２０が、各々のＵＶランプ１２０の独立した制御を可能にするために、異なるスイッチング装置１８０を有することができる。スイッチング装置１８０のうちの１以上が、単にランプ１２０をオンおよびオフにするだけでなく、該当のＵＶランプ１２０に供給される電力の量の可変制御を可能にしてもよい。例えば、少なくとも１つのスイッチング装置１８０を、該当のＵＶランプ１２０に最大の電力、ならびに中程度の電力レベルおよび低い電力レベルなどの１以上のより低い電力レベルを供給するように制御することができる。
【００３３】
入力装置１７４は、パイロットまたは別のオペレータによる消毒システム１００の制御を可能にするためのセレクタノブ、ワークステーションコンピュータ、タブレットコンピュータ、ハンドヘルドコンピュータ（例えば、スマートフォン）、キーボード、タッチパッド、ジョイスティック、などを表し、あるいはこれらを含むことができる。例えば、オペレータは、ＵＶランプ１２０をオンおよびオフにし、ＵＶランプ１２０のうちの１以上の電力設定を選択し、さらには／あるいはＵＶランプ１２０のうちの１以上を制御する活動設定を選択するために、入力装置１７４を介してユーザ入力を入力することができる。出力装置１７６は、航空機に搭載された一体型の表示装置、および／またはパーソナルコンピュータ、タブレット、もしくはハンドヘルドコンピュータ（例えば、スマートフォン）上の表示画面であってよい。制御ユニット１７０は、消毒システム１００の動作状態を知らせる通知を表示するように出力装置１７６を制御するための制御信号を生成することができる。動作状態は、消毒システム１００がオンまたはオフのどちらであるか、ならびにＵＶランプ１２０の電力設定またはレベルを含むことができる。動作状態は、異なる電力設定で動作することができる異なるサブグループの状態を示す。例えば、動作状態は、トイレ内のＵＶランプ１２０がオフである一方で、（図２に示した）ＰＳＵ１１４内のＵＶランプ１２０が中程度の電力設定にてオンであることを示すことができる。
【００３４】
一実施形態においては、消毒システム１００を、センサ１７８および／または他の機上のシステムから受信した情報に基づいて異なる活動設定の間の自動的な切り替えを行うように構成することができる。活動設定は、搭乗および降機、昼行、夜行、およびオフを含むことができる。例えば、内部客室１２２が空である（例えば、占有者がいない）場合、消毒システム１００は、ＵＶランプ１２０がオフにされ、ＵＶ光が放射されないオフ設定で動作することができる。オフ設定は、消毒システム１００がＵＶ光を生成するための電力を使用しないため、エネルギ効率がよい。制御ユニット１７０は、航空機の環境制御システムがオフ状態であること、エンジン１４および／または補助電源装置がオフ状態であること、ならびに航空機へのドアが閉じられてロックされていること、などの１以上の因子に基づいて、客室１２２が空であると判定することができる。随意により、センサ１７８は、客室１２２内の近接センサ、運動センサ、および／または圧力センサを含むことができる。センサ１７８は、光ビーム、受動赤外線エネルギ、マイクロ波パルス、電気誘導、などに基づいて動作することができる。制御ユニット１７０は、客室１２２内に動いている人間が存在しないことを示す近接センサ、運動センサ、および／または圧力センサに基づいて、客室１２２が空であると判定してもよい。
【００３５】
航行（例えば、飛行）の前の搭乗および航行の終わりにおける降機の際に、制御ユニット１７０は、消毒システム１００を搭乗および降機の設定で動作させる。この活動設定において、ＵＶランプ１２０は高い電力レベルで動作する。ＵＶランプは、放射されるＵＶ光が高い強度を有するように、（他の活動設定と比べて）高出力でＵＶ光を生成および放射する。ＵＶランプは、他の電力レベルと比較して高い電力レベルにおいて、より強い線量（例えば、単位時間当たりのＵＶ放射の量）をもたらす。より強い線量は、乗客が客室１２２に入り（あるいは、客室１２２を出て）、通路１１３を通り抜け、自身の荷物をしまい（あるいは、取り出し）、座席１１０を見つけ（あるいは、座席１１０を離れ）、他の乗客と会話するなど、搭乗時および降機時に乗客および乗務員がきわめて活動的であるためにもたらされる。病原体の拡散は、活動的な事象において増加するため、ＵＶランプ１２０を、可能な限り多くの病原体を死滅させるために高い出力レベルまたは最大出力レベルで動作させる。制御ユニット１７０は、航空機へのドアが開いていること（ドア位置を監視するセンサによって示される）、航空機が停止していること、環境制御システムが動作していること、などに基づいて、搭乗および降機が発生していることを自動的に判定することができる。さらに、近接センサ、運動センサ、および／または圧力センサ１７８を使用して、搭乗および降機の事象における客室１２２内の動きの量を検出することができる。制御ユニット１７０は、上記の因子のうちの１以上に基づいて、消毒システム１００を搭乗および降機の設定に自動的に切り替えることができる。例えば、制御ユニット１７０は、客室１２２内の動きのレベルまたは量が指定された閾値活動レベルを超えることを示すセンサ１７８からのデータまたは信号に応答して、搭乗および降機の設定に切り替わることができる。随意により、オペレータが入力装置１７４を利用して、例えば制御ユニット１７０に対して搭乗および降機の設定への切替を指示するなど、制御ユニット１７０にどの設定を実施するかを手動で指示することができる。このような手動の制御入力が、制御ユニット１７０による自動的な設定の選択を上書きしてもよい。
【００３６】
例えば航空機が巡航中であるときなど、日中のビークルの巡航時に、制御ユニット１７０は、消毒システム１００を昼行設定で動作させることができる。昼行設定は、ＵＶランプ１２０に供給される中程度の電力レベルを表すことができる。昼間の航行中に、大部分の乗客は着席しているが、一部の乗客は互いに会話をし、他の乗客は座席を離れて立ち上がり、頭上の収納部から物品を取り出し、洗面所を使用する、などの可能性がある。昼間の航行中の活動レベルは、搭乗時および降機時の活動レベルよりも低い。ＵＶランプ１２０は、高い電力レベルではなく、中程度の電力レベルで動作して、ＵＶ光で空気を消毒し続けると同時に、高い電力レベルでの動作と比べて或る程度の電気エネルギを節約する。ＵＶランプ１２０は、活動に基づく異なる設定の間の切り替え時にも、オンのままでＵＶ光を継続的に放射することができる。制御ユニット１７０は、航空機が飛行中であること、および昼間であることを示す因子に基づいて、昼間設定に自動的に切り替わることができる。飛行を示す因子は、高度計データ、速度データ、エンジン設定、などを含むことができる。昼間を示す因子は、時計および／または周囲光センサを含むことができる。例えば、飛行中であり、時刻が午前７時よりも後かつ午後７時よりも前である場合、制御ユニット１７０は、昼間の飛行の設定に切り替わることができる。
【００３７】
夜間のビークルの航行において、乗客の活動は、乗客の多くが睡眠中であり、読書中であり、あるいはパーソナルデバイスでビデオを視聴している可能性があるため、日中と比較して低下する可能性がある。乗客の互いの会話が、日中と比べて少なくなる可能性がある。航空機が夜間飛行中であると判断されると、制御ユニット１７０は、消毒システム１００を夜行設定に切り替えるように構成される。夜行設定は、低い電力レベルを表すことができる。ＵＶランプ１２０はオンのままであるが、より低い電力レベルにて、中程度および高い電力レベルと比べて低い強度または濃度でＵＶ光を放射する。より低い電力レベルは、中程度および高い電力レベルと比べてより多くの電気エネルギを節約する。制御ユニット１７０は、例えば、航空機が飛行中であり、時刻が午後７時よりも後かつ午前７時よりも前であることを検出すると、夜行設定に切り替わることができる。これらに限られるわけではないが、いくつかの例において、高い電力レベルまたは最大電力レベルは、ＵＶランプ１２０の定格電力の１００％をＵＶランプ１２０に供給することができ、中程度の電力レベルは、定格電力の５０％、６０％、または６６％をＵＶランプ１２０に供給することができ、低い電力レベルは、定格電力の２５％、３３％、または４０％をＵＶランプ１２０に供給することができる。１以上のスイッチング装置１８０を利用して、ＵＶランプ１２０に供給される電力を適切に下げることができる。
【００３８】
随意により、センサ１７８は、座席の各列に配置され、その列の座席内の乗客の存在を検出するように構成された個々のセンサを含むことができる。例えば、図２を参照すると、乗客の体重によって乗客が座席１１０上に存在することを検出する圧力センサを、各々の座席１１０に設置することができる。随意により、近接センサをＰＳＵ１１４に組み込み、乗客が座席１１０上に存在することを、近接センサへの乗客の近接によって検出することができる。制御ユニット１７０は、センサ１７８からセンサデータを受信し、このデータを分析して、通路１１３の両側のいずれかの座席１１０および／または座席１１０の列１１２の全体が占有されているかどうかを判定する。所与の占有されていない座席１１０について、制御ユニット１７０は、ＵＶランプ１２０をオフにし、あるいは低い電力レベルまたは中程度の電力レベルに引き下げることによって、その座席１１０に関連するＵＶランプ１２０に供給される電力レベルを自動的に下げることができる。例えば、制御ユニット１７０は、占有されていない座席１１０に関連するＵＶランプ１２０の電力レベルを、占有されている座席１１０に関連するＵＶランプ１２０の現在の設定よりも１段階だけ低くすることができる。したがって、現在の設定がＵＶランプ１２０を中程度の電力レベルにする昼行設定である場合、制御ユニット１７０は、占有されていない座席１１０に関連するＵＶランプ１２０を低い電力レベルに制御する。
【００３９】
ビークルの内部客室内の空気および表面を消毒および殺菌するための方法が提供される。この方法を、図１〜図６を参照して上述した消毒システム１００によって実行することができる。本方法の特定のステップを、プログラムされた論理または命令に基づいて、図６に示した制御ユニット１７０によって実行することができる。本方法は、随意により、説明されるステップ以外の追加のステップ、説明されるステップよりも少ないステップ、および／または説明されるステップとは異なるステップを含む。本方法は、ビークル１０に搭載された電源１７２からビークル１０の内部客室１２２内のさまざまな箇所に取り付けられた複数の紫外線（ＵＶ）ランプ１２０に電力を供給するステップを含む。さらに、本方法は、ビークル１０の航行中に継続的なやり方で内部客室１２２へとＵＶ光を放射するようにＵＶランプ１２０を制御するステップを含む。ＵＶランプ１２０は、放射されたＵＶ光で内部客室１２２内の空気を、内部客室１２２内の乗客が空気を呼吸する前に殺菌するように配置される。
【００４０】
随意により、ＵＶ光を放射するようにＵＶランプ１２０を制御するステップは、長時間の曝露において人間の組織にとって安全な指定された波長または狭い波長範囲でＵＶ光を放射するようにＵＶランプ１２０を制御するステップを含む。ＵＶランプ１２０に電力を供給するステップは、内部客室１２２における乗客の搭乗時および降機時に第１の電力レベルで電力を供給するステップと、航空機の飛行などのビークル１０の航行（例えば、移動）中に第１の電力レベルよりも低い第２の電力レベルで電力を供給するステップとを含むことができる。
【００４１】
本明細書に記載されるとおり、本開示の実施形態は、ビークルの内部客室内の表面、空気、および人々を、ＵＶ光によって継続的なやり方で、ＵＶ光に曝される人々に害を及ぼすことなく、消毒および殺菌するためのシステムおよび方法を提供する。さらに、本開示の実施形態は、ビークルの内部客室内の空気および表面を消毒するためにＵＶ光を使用するための内蔵され、使用が容易であり、かつ安全なシステムおよび方法を提供する。
【００４２】
図１〜図６を参照して説明した消毒システム１００は、航空機の客室内の空気中および表面の病原体を継続的に消毒する。例えば、２２２ｎｍのＵＶ光を（飛行状況および乗務員によって制御されるデューティサイクルに従って）継続的に点灯させることができる。これにより、その飛行状況に合わせた制御された電力または抑えられた電力での消毒が可能になる。ＵＶ光は、ランプの近くの空気中および表面上の両方の病原体を死滅させることができる。２２２ｎｍのＵＶは、人間の組織には有害でないかもしれないが、同時に、病原体を死滅させるのに有効であり得る。したがって、航空機のゾーンを２２２ｎｍのＵＶに継続的に曝露することで、そのゾーン内の病原体が減少するが、人間である占有者に害を引き起こすことはないと考えられる。航空機の客室の座席領域において、２２２ｎｍのＵＶ照明を、一定のレベルまたは高いレベルの消毒の存在を維持するために、飛行状況に応じて調整されたやり方で展開することができる。この２２２ｎｍの照明は、空気と、トレイテーブル、座席、コンピュータ画面、個人の衣服、個人の皮膚、などを含む客室の表面との両方を、継続的に消毒する。
【００４３】
さらに、本開示は、以下の付記項による例を含む。
付記項１．ビークルの内部客室（１２２）内のさまざまな箇所に取り付けられた複数の紫外線（ＵＶ）ランプ（１２０）
を備えており、
ＵＶランプ（１２０）は、ビークルに搭載された電源（１７２）から電力を受け取り、ビークルの航行中に継続的なやり方で内部客室（１２２）へとＵＶ光を放射するように構成され、ＵＶランプ（１２０）は、放射されたＵＶ光が内部客室（１２２）内の空気を殺菌するように配置されている、消毒システム（１００）。
【００４４】
付記項２．ＵＶランプ（１２０）のさまざまな箇所は、航行中に乗客および乗務員によって占有される箇所である、付記項１に記載の消毒システム（１００）。
【００４５】
付記項３．ＵＶランプ（１２０）のサブセット（１２６）が、内部客室（１２２）の天井（１０４）に取り付けられ、内部客室（１２２）の長さに沿って間隔を空けて位置し、サブセット（１２６）は、天井（１０４）から通路（１１３）の床（１０８）に行き着くまでＵＶ光を放射する、付記項１または２に記載の消毒システム（１００）。
【００４６】
付記項４．ＵＶランプ（１２０）のサブセット（１２６）が、座席（１１０）の複数の列（１１２）の各列（１１２）の上方に配置された乗客サービスユニット（ＰＳＵ）（１１４）に統合されており、ＰＳＵ（１１４）は、個人用送風機（１１５）をさらに含んでいる、付記項１から３のいずれか一項に記載の消毒システム（１００）。
【００４７】
付記項５．ＵＶランプ（１２０）は、人間の組織にとって安全な指定された波長または狭い波長範囲のＵＶ光を放射するように構成されている、付記項１から４のいずれか一項に記載の消毒システム（１００）。
【００４８】
付記項６．指定された波長は、２２２ｎｍである、付記項５に記載の消毒システム（１００）。
【００４９】
付記項７．ＵＶランプ（１２０）は、航行の期間の全体にわたってＵＶ光を持続的に放射するように制御される、付記項１から６のいずれか一項に記載の消毒システム（１００）。
【００５０】
付記項８．１以上のプロセッサを含んでおり、ＵＶランプ（１２０）に動作可能に接続された制御ユニット（１７０）をさらに備え、制御ユニット（１７０）は、乗客の活動に基づいて航行中にＵＶランプ（１２０）のうちの１以上に供給される電力を、乗客がより活動的であるときに１以上のＵＶランプ（１２０）が乗客があまり活動的でないときよりも多くの電力を受け取るように、変更する、付記項１から７のいずれか一項に記載の消毒システム（１００）。
【００５１】
付記項９．制御ユニット（１７０）および入力装置（１７４）をさらに備え、制御ユニット（１７０）は、１以上のプロセッサを含んでおり、ＵＶランプ（１２０）および入力装置（１７４）に動作可能に接続され、制御ユニット（１７０）は、オペレータの手動選択を表す入力装置（１７４）から受信される制御信号に基づいてＵＶランプ（１２０）のうちの１以上に供給される電力を変更するように構成されている、付記項１から８のいずれか一項に記載の消毒システム（１００）。
【００５２】
付記項１０．１以上のプロセッサを含んでおり、ＵＶランプ（１２０）に動作可能に接続された制御ユニット（１７０）をさらに備え、制御ユニット（１７０）は、乗客が内部客室（１２２）に搭乗中または内部客室（１２２）から降機中であるとの判定に応答して、ＵＶランプ（１２０）のうちの１以上を第１の電力レベルで動作させる、付記項１から９のいずれか一項に記載の消毒システム（１００）。
【００５３】
付記項１１．制御ユニット（１７０）は、ビークルが航行中であるとの判定に応答して、第１の電力レベルよりも低い第２の電力レベルで１以上のＵＶランプ（１２０）を動作させるように構成されている、付記項１０に記載の消毒システム（１００）。
【００５４】
付記項１２．１以上のプロセッサを含んでおり、ＵＶランプ（１２０）に動作可能に接続された制御ユニット（１７０）をさらに備え、制御ユニット（１７０）は、ビークルが昼間に航行中であるとの判定に応答して、ＵＶランプ（１２０）のうちの１以上を第１の電力レベルで動作させ、ビークルが夜間に航行中であるとの判定に応答して、１以上のＵＶランプ（１２０）を第１の電力レベルよりも低い第２の電力レベルで動作させるように構成されている、付記項１から１１のいずれか一項に記載の消毒システム（１００）。
【００５５】
付記項１３．制御ユニット（１７０）と、内部客室（１２２）内の異なる座席に関連付けられた複数のセンサ（１７８）とをさらに備え、制御ユニット（１７０）は、１以上のプロセッサを含んでおり、ＵＶランプ（１２０）およびセンサ（１７８）に動作可能に接続され、制御ユニット（１７０）は、センサ（１７８）のうちの１つのセンサから受信される信号に基づく該１つのセンサが関連付けられた座席が占有されていないとの判定に応答して、ＵＶランプ（１２０）のうちの１つのＵＶランプをＵＶ光の放射を中止するように制御するように構成されている、付記項１から１２のいずれか一項に記載の消毒システム（１００）。
【００５６】
付記項１４．ビークルは、航空機である、付記項１から１３のいずれか一項に記載の消毒システム（１００）。
【００５７】
付記項１５．ＵＶランプ（１２０）のうちの少なくともいくつかは、空気供給ベント（１４０）または個人用送風機（１１５）と内部客室（１２２）内の座席のそれぞれの乗客との間に延伸する照射野（１３２）にＵＶ光を放射するように配置され、ＵＶ光で空気供給ベント（１４０）または個人用送風機（１１５）から吐出される空気を座席の乗客が該空気を呼吸する前に殺菌する、付記項１から１４のいずれか一項に記載の消毒システム（１００）。
【００５８】
付記項１６．ビークルに搭載された電源（１７２）からビークルの内部客室（１２２）内のさまざまな箇所に取り付けられた複数の紫外線（ＵＶ）ランプ（１２０）に電力を供給するステップと、
ビークルの航行中に継続的に内部客室（１２２）へとＵＶ光を放射するようにＵＶランプ（１２０）を制御するステップと
を含んでおり、ＵＶランプ（１２０）は、放射されるＵＶ光で内部客室（１２２）内の空気を内部客室（１２２）内の乗客が該空気を呼吸する前に消毒するように配置されている、方法。
【００５９】
付記項１７．ＵＶ光を放射するようにＵＶランプ（１２０）を制御するステップは、長時間の曝露において人間の組織にとって安全な指定された波長または狭い波長範囲でＵＶ光を放射するようにＵＶランプ（１２０）を制御するステップを含む、付記項１６に記載の方法。
【００６０】
付記項１８．ＵＶランプ（１２０）に電力を供給するステップは、内部客室（１２２）における乗客の搭乗時および降機時に第１の電力レベルで電力を供給するステップと、ビークルの航行中に第１の電力レベルよりも低い第２の電力レベルで電力を供給するステップとを含む、付記項１６または１７に記載の方法。
【００６１】
付記項１９．ビークルの内部客室（１２２）内のさまざまな箇所に取り付けられた複数の紫外線（ＵＶ）ランプ（１２０）であって、ＵＶランプ（１２０）はビークルに搭載された電源（１７２）から電力を受け取る、複数の紫外線（ＵＶ）ランプ（１２０）と、
１以上のプロセッサを含んでおり、ＵＶランプ（１２０）に動作可能に接続される制御ユニット（１７０）であって、制御ユニット（１７０）はビークルの航行中に継続的に内部客室（１２２）へとＵＶ光を放射するようにＵＶランプ（１２０）を制御し、制御ユニット（１７０）はさらに乗客の活動に基づいて航行中にＵＶランプ（１２０）のうちの１以上に供給される電力を、乗客がより活動的であるときに１以上のＵＶランプ（１２０）が乗客があまり活動的でないときよりも多くの電力を受け取るように、変更する、制御ユニット（１７０）と
を備える消毒システム（１００）。
【００６２】
付記項２０．ＵＶランプ（１２０）のうちの少なくともいくつかは、空気供給ベント（１４０）または個人用送風機（１１５）と内部客室（１２２）の座席のそれぞれの乗客との間に延伸する照射野（１３２）にＵＶ光を放射するように配置され、ＵＶ光で空気供給ベント（１４０）または個人用送風機（１１５）から吐出される空気を座席の乗客が該空気を呼吸する前に殺菌する、付記項１９に記載の消毒システム（１００）。
【００６３】
本開示の実施形態を説明するために、上、下、下方、中央、横、水平、垂直、前、などのさまざまな空間および方向についての用語を使用することができるが、そのような用語は、単に図面に示された向きに関して使用されているにすぎないと理解される。向きは、例えば上部が下部であり、逆もまた同様であり、水平が垂直になるなど、反転させ、回転させ、あるいは他のやり方で変更することが可能である。
【００６４】
本明細書において使用されるとき、或るタスクまたは動作を実行するように「構成された」構造、限定事項、または要素は、そのタスクまたは動作に対応するやり方でとくに構造的に形成、構築、または調整される。明確化、および誤解を避ける目的で、単にタスクまたは動作を実行するように変更することができるだけの物体は、本明細書において使用されるときのタスクまたは動作を実行するように「構成された」に該当しない。
【００６５】
本明細書において使用されるとき、数値の前に挿入された「約」、「実質的に」、および「およそ」などの値を修飾する修飾語は、その値が、指定された値の５％、１０％、または１５％の範囲内の値など、指定された値の上および／または下の指定された閾値範囲内の他の値を表すことができることを示す。
【００６６】
以上の説明が、例示を意図しており、限定を意図していないことを、理解すべきである。例えば、上述した実施形態（および／または、その態様）を、互いに組み合わせて使用することができる。さらに、本開示の種々の実施形態の教示について、それらの技術的範囲から外れることなく、特定の状況または材料に合わせるための多数の変更を行うことができる。本明細書に記載の材料の寸法および種類は、本開示のさまざまな実施形態のパラメータを定めることを意図しているが、実施形態は、決して限定ではなく、例示的な実施形態である。上記の説明を検討することで、多数の他の実施形態が当業者にとって明らかであろう。したがって、本開示の種々の実施形態の技術的範囲は、添付の特許請求の範囲を参照して、そのような特許請求の範囲に与えられる均等物の全範囲と併せて決定されるべきである。添付の特許請求の範囲および本明細書における詳細な説明において、用語「・・・を含む(including)」および「そこにおいて(in which)」は、それぞれの用語「・・・を備える(comprising)」および「そこで(wherein)」の平易な英語の等価物として使用される。さらに、「第１の」、「第２の」、および「第３の」などの用語は、単にラベルとして使用され、それらの対象に数値的な要件を課すことを意図していない。さらに、以下の特許請求の範囲の限定事項は、そのような請求項の限定事項が「・・・のための手段(means for)」という表現をさらなる構造を欠く機能の言明と一緒に明示的に使用している場合を除き、手段プラス機能(means-plus-function)の形式で書かれたものではなく、米国特許法第１１２条（ｆ）にもとづいて解釈されるようには意図されていない。
【００６７】
本明細書は、本開示のさまざまな実施形態を最良の形態を含めて開示するとともに、あらゆる装置またはシステムの製作および使用ならびにあらゆる関連の方法の実行を含む本開示のさまざまな実施形態の実施を当業者にとって可能にするために、実施例を使用している。本開示のさまざまな実施形態の特許可能な範囲は、特許請求の範囲によって定義され、当業者であれば想到できる他の実施例を含むことができる。そのような他の実施例は、それらの実施例が特許請求の範囲の文言から相違しない構造要素を有する場合、または特許請求の範囲の文言から実質的には相違しない同等の構造要素を含む場合、特許請求の範囲の技術的範囲に包含されるように意図される。
【符号の説明】
【００６８】
１０  航空機，ビークル、１２  推進システム、１４  エンジン、１６  翼、１８  胴体、２０  尾部、２２  水平安定板、２４  垂直安定板、１００  消毒システム、１０２  外側壁、１０４  天井、１０６  窓、１０８  床、１１０  座席、１１２  座席の列、１１３  通路、１１４  乗客サービスユニット、１１５  個人用送風機、１１８  頭上収納棚アセンブリ、１２０  ＵＶランプ、１２２  内部客室、１２４  ＵＶランプの第１のサブセット、１２６  ＵＶランプの第２のサブセット、１３０  乗客、１３２  照射野、１３３  乗客の頭部、１３４  乗客の顔、１３６  呼吸領域、１４０  空気供給ベント、１４２  帰還レジスタ、１５０  ハウジング、１５２  バルブ、１５４  カバーシート、１５６  反射器、１５８  空隙部、１６０  より広い照射領域、１７０  制御ユニット、１７２  電源、１７４  入力装置、１７６  出力装置、１７８  圧力センサ、１８０  スイッチング装置、１８２  プロセッサ、１８４  メモリ
【図１】
2022002700.tif 000003
【図２】
2022002700.tif 000004
【図３】
2022002700.tif 000005
【図４】
2022002700.tif 000006
【図５】
2022002700.tif 000007
【図６】
2022002700.tif 000008
【外国語明細書】
2022002700000001.pdf